(57)【要約】  【課題】しっかりと固定でき、内部の果実の生長を容易に観察できると共に、早熟や腐敗した果物・野菜を便利に取り出すことができる、果物・野菜被覆用網袋の提供。  【解決手段】本考案の果物・野菜被覆用網袋は、主に軟質網袋の袋口上に直接２本の紐を通し、２本の紐はそれぞれ一定の長さが軟質網袋の外側に引き出され、また前記軟質網袋の袋底部箇所にファスナー式の開閉自在の開口部を設ける。これにより、前記軟質網袋の袋口は２本の紐によって開閉され、同時に袋口を縛った後これら２本の紐を利用して果物・野菜の枝や幹、棚に固定することができ、果物・野菜被覆用網袋内の果物・野菜から落下しないよう安定性を高め、且つ前記軟質網袋とその袋底部箇所に設けたファスナー式の開閉自在の開口部により、栽培者が袋内の果物・野菜の生長状況を容易に確認することができ、かつ早熟や腐敗した果物・野菜を取り出すことができる。  【選択図】図2
0003149386.tif 000002
【実用新案登録請求の範囲】
【請求項１】
軟質網袋と、２本の紐を含み、前記軟質網袋の袋口に前記紐を通すための袋口辺部を設け、前記袋口辺部の相対する両側にそれぞれ紐出口を設け、前記２本の紐は前記軟質網袋の袋口の前記袋口辺部両側にそれぞれ穿置され、前記両側の紐出口からそれぞれ伸出され、前記２本の紐が一定の長さ前記軟質網袋の外側にそれぞれ引き出されたことを特徴とする、果物・野菜被覆用網袋。
【請求項２】
さらに開閉自在の開口部を袋底部に設けたことを特徴とする、請求項１に記載の果物・野菜被覆用網袋。
【請求項３】
前記開閉自在の開口部がファスナーであることを特徴とする、請求項２に記載の果物・野菜被覆用網袋。
【考案の詳細な説明】
【技術分野】
【０００１】
本考案は農作物の果物・野菜被覆用袋に関し、特に、軟質網袋を採用し、その袋口上に直接２本の紐を通し、且つその袋底部上にファスナー式の開閉自在の開口部を設けた、果物・野菜被覆用網袋に関する。
【背景技術】
【０００２】
従来の果物・野菜被覆用袋は一般に紙袋を採用し、かつ開口端に鉄線を設置して開口を縛り、封鎖端の袋底部の左右両側に孔部を開設して袋内の果物・野菜の生長を確認できるようになっている。しかしながら、上述の紙製の果物・野菜被覆用袋は、大雨や強風に晒されると、紙袋が相互に貼り付いてしまったり、破れてしまったりしやすく、また開口端の鉄線が蒂のあたりに巻き付けられているだけなので揺動して落下しやすい。高山梨に使用する比較的特殊な硬質の紙袋は、風雨には比較的強いものの、強風や大雨の後の作業が面倒で、果実外の紙袋を注意して離す必要があり、時間と手間がかかる。また、目で直接袋の中の状況を見ることができないため、収穫期間は袋底部の左右両側の孔部を注意して開き、収穫できるか否かを確認しなければならず、果実が熟しすぎて収穫のタイミングを逃してしまいやすいだけでなく、これら作業には通常かなりの時間がかかってしまう。また、一部の農民は網袋を採用して果物・野菜に被せているが、その網袋の袋口端は１本の紐で果物・野菜の蒂のあたりに縛りつけられるため、外れてしまいやすく、安定性に欠ける。
【考案の開示】
【考案が解決しようとする課題】
【０００３】
本考案の目的は、果実にしっかりと固定でき、内部の果実の生長を容易に観察することができると共に、早熟や腐敗した果物・野菜を便利に取り出すことができる、果物・野菜被覆用網袋を提供することにある。
【課題を解決するための手段】
【０００４】
本考案の果物・野菜被覆用網袋は、主に軟質網袋の袋口上に直接２本の紐を通し、２本の紐はそれぞれ一定の長さが軟質網袋の外側に引き出され、また前記軟質網袋の袋底部箇所にファスナー式の開閉自在の開口部を設ける。これにより、前記軟質網袋の袋口は２本の紐によって開閉され、同時に袋口を縛った後これら２本の紐を利用して果物・野菜の枝や幹、棚に固定することができ、果物・野菜被覆用網袋内の果物・野菜から落下しないよう安定性を高め、且つ前記軟質網袋とその袋底部箇所に設けたファスナー式の開閉自在の開口部により、栽培者が袋内の果物・野菜の生長状況を容易に確認することができ、かつ早熟や腐敗した果物・野菜を取り出すことができる。
【考案の効果】
【０００５】
本考案の果物・野菜被覆用網袋には以下のような利点がある。 
一、操作が容易かつ迅速である。本考案は軟質網袋１とその袋口上に直接通した２本の紐２、３を採用し、直接紐を伸縮させて袋口を縛ることができるため、使用者は迅速かつ容易に袋を被せる作業ができる。
二、果物・野菜から落下しないよう安定性が高まる。本考案は軟質網袋１とその袋口に直接通した２本の紐２、３を採用しており、袋口を収縮させ紐を交差させて縛ることができ、交差させて縛った後さらに２本の紐２、３を利用して果物・野菜の枝や幹、棚上に縛って固定することができるため、果物・野菜から落下しないよう安定性を確保することができる。
三、観察に便利である。本考案は軟質網袋１を採用しているため、果物・野菜が太陽光を浴びることができ、また隨時袋内の果実の生長状態を観察することもできる。果物・野菜が徐々に生長する変化を目で見ることができ、それは一種の楽しみと享受でもある。
四、腐敗したものを容易に取り出すことができ、果物・野菜の品質を向上する。本考案は軟質網袋１の袋底部箇所にファスナー式の開閉自在の開口部１４を設けているため、果実が網袋１内でゆっくりと成長する際にそのうちの１つが早熟したり、腐敗したりすることがあるが、本考案の果物・野菜被覆用網袋はそれらを容易に発見し、ファスナー式の開閉自在の開口部１４の操作で便利かつ容易に取り出すことができるため、栽培者は楽に高品質の果物・野菜を生産することができる。
五、環境にやさしく、衛生的である。本考案は軟質網袋１を採用しているため、繰り返し使用することができ、環境にやさしく、衛生的である。
【考案を実施するための最良の形態】
【０００６】
図１、図２に示すように、本考案の果物・野菜被覆用網袋は、主に軟質網袋を採用し、その袋口上に直接２本の紐を通し、またその袋底部上にファスナー式の開閉自在の開口部を設けた果物・野菜被覆用網袋である。
【０００７】
本考案の技術内容、特徴及び効果をよりはっきりと示すため、以下、最良の実施例と図面に基づき詳細に説明する。
【０００８】
図２に本考案の立体図を示す。本考案は主に軟質網袋１と、２本の紐２、３を含む。
【０００９】
前記軟質網袋１は、その袋口に紐を通すための袋口辺部１１が設けられ、前記袋口辺部１１の相対する両側に紐出口１２、１３がそれぞれ設けられ、またその袋底部箇所にファスナー式の開閉自在の開口部１４が設けられる。
【００１０】
前記２本の紐２、３は、軟質網袋１袋口の袋口辺部１１両側にそれぞれ穿置され、かつ両側の紐出口１２、１３から伸出され、２本の紐２、３はそれぞれ一定の長さが軟質網袋１の外側に引き出される。
【００１１】
これにより、本考案は直接その袋口上に２本の紐２、３が穿置されており、これら２本の紐２、３はそれぞれ一定の長さが軟質網袋１の外側に引き出されているため、該軟質網袋１の袋口１１をこれら２本の紐２、３で適切に開閉することができ、果物・野菜に袋口から被せた後、外に引き出された２本の紐２、３の一側を引くと、袋口が内側に押されて袋口が徐々に縮小され、その後他方の側も同様の動作で袋口が閉じられるまで袋口を内側へ押し、このとき２本の紐２、３を交差させて縛り、さらに交差させて縛った後の２本の紐２、３を利用して果物・野菜の枝や幹、棚上に縛って固定し（図３参照）、果物・野菜から落下しないよう安定性を確保することができる。
【００１２】
さらに、本考案は軟質網袋１の袋底部箇所にファスナー式の開閉自在の開口部１４を設けているため、果実が網袋１内でゆっくりと成長する際、いずれか１つが早熟であったり、腐敗してしまったりすることがあるが、本考案の果物・野菜被覆用網袋はそれらを容易に発見し、ファスナー式の開閉自在の開口部１４の操作により便利かつ容易に取り出すことができ、栽培者はより楽に高品質の果物・野菜を生産することができる。
【図面の簡単な説明】
【００１３】
【図１】本考案の平面図である。
【図２】本考案の立体図である。
【図３】本考案の使用実施例の立体図である。
【図４】本考案の開閉自在の開口部を開いたときの立体図である。
【符号の説明】
【００１４】
１         軟質網袋
１１        袋口辺部
１２、１３  紐出口
１４        開閉自在の開口部
２、３     紐
【図１】
0003149386.tif 000003
【図２】
0003149386.tif 000004
【図３】
0003149386.tif 000005
【図４】
0003149386.tif 000006